(57)【要約】【課題】ディスプレイ画面を適切な角度に調整して、使用者と医療者による測定値の確認を容易にすること。【解決手段】本体を有し、該本体に台座及び上部蓋を設け、台座に旋軸と固定機構を設け、上部蓋内部に収容空間を設け、収容空間に回転体を設け、回転体の片面にディスプレイを設け、もう一つの面は台座にと向かいあって設け、旋軸を突き出して設ける。【選択図】図３
0003139756.tif 000002
【実用新案登録請求の範囲】
【請求項１】
台座と上部蓋と回転体とよりなる本体を具備するディスプレイ画面角度可調整血圧計であって、
前記台座の内部に旋軸を設け、
前記内部に収容空間を有する上部蓋を台座の上部に設けて台座と一体に結合し、
前記回転体に設けた旋稈を前記旋軸に挿入して前記回転体を上部蓋の収容空間に回転自在に設け、
ディスプレイは回転体の内部に設けられて前記収容空間に収容され、
ディスプレイの視認性を向上するように、旋軸と旋稈との組み合わせにより回転体を適切な位置に回転可能に構成したことを特徴とするディスプレイ画面角度可調整血圧計。
【請求項２】
腕帯に本体を固定し、腕帯を手首や腕部に引っ掛けて取り付け可能に構成したことを特徴とする請求項１記載のディスプレイ画面角度可調整血圧計。
【請求項３】
旋稈の内部に突起棒を設け、該突起棒の周辺にスリーブを挿入し、該スリーブと該突起棒との間に一定の間隔をおくことを特徴とする請求項１記載のディスプレイ画面角度可調整血圧計。
【請求項４】
回転体はさらにシャシーを有し、該旋稈は該シャシーの台座の向かい面に設けることを特徴とする請求項１記載のディスプレイ画面角度可調整血圧計。
【請求項５】
シャシーに固定棒を設け、該固定棒は旋稈と同方向に延ばすことを特徴とする請求項４記載のディスプレイ画面角度可調整血圧計。
【請求項６】
固定棒は旋稈より短く設けることを特徴とする請求項５記載のディスプレイ画面角度可調整血圧計。
【請求項７】
シャシーは、さらに固定部材を設けることを特徴とする請求項４記載のディスプレイ画面角度可調整血圧計。
【請求項８】
固定棒は弾性を有する片体を用いることを特徴とする請求項７記載のディスプレイ画面角度可調整血圧計。
【請求項９】
固定部材の前面に第１固定点を突き出し設けることを特徴とする請求項７記載のディスプレイ画面角度可調整血圧計。
【請求項１０】
台座の上に固定機構を設け、該固定機構に固定溝を設けることを特徴とする請求項9記載のディスプレイ画面角度可調整血圧計。
【請求項１１】
固定機構は台座と一体化成形することを特徴とする請求項１０記載のディスプレイ画面角度可調整血圧計。
【請求項１２】
固定機構は台座より独立した片体であることを特徴とする請求項１０記載のディスプレイ画面角度可調整血圧計。
【請求項１３】
固定溝は円弧面を形成することを特徴とする請求項１０記載のディスプレイ画面角度可調整血圧計。
【請求項１４】
固定溝は旋稈より固定棒の装入に備えることを特徴とする請求項１２記載のディスプレイ画面角度可調整血圧計。
【請求項１５】
固定棒の回転範囲は固定溝の円弧面に限られることを特徴とする請求項１３記載のディスプレイ画面角度可調整血圧計。
【請求項１６】
固定溝の周辺に複数の第２固定点を設けることを特徴とする請求項１０記載のディスプレイ画面角度可調整血圧計。
【請求項１７】
第２個定点は第１固定点と釣り合い、かつ該第１固定点は第２個定点において移動することを特徴とする請求項１４記載のディスプレイ画面角度可調整血圧計。
【請求項１８】
固定機構上に電気回路制御装置を設け、ディスプレイは電気回路及び固定機構を介して電気導通することを特徴とする請求項１２記載のディスプレイ画面角度可調整血圧計。
【請求項１９】
電気回路には電気コード又はフラットケーブルを設けることを特徴とする請求項１８記載のディスプレイ画面角度可調整血圧計。
【請求項２０】
台座の周辺に一つ以上のねじ孔を設け、該台座と組み合わせる上部蓋にねじ棒を設けて、ねじはねじ孔を通してねじ棒に締めつけて、台座と上部蓋を一体化に結合することを特徴とする請求項１記載のディスプレイ画面角度可調整血圧計。
【請求項２１】
台座と上部蓋は矩形体を形成することを特徴とする請求項１記載のディスプレイ画面角度可調整血圧計。
【考案の詳細な説明】
【技術分野】
【０００１】
本考案はディスプレイ画面角度可調整血圧計に関し、特に一種の使用者より、ディスプレイ画面角度を最適に調整して、本人又は医療者に血圧測定値の確認に便利にした血圧計に関するものである。
【背景技術】
【０００２】
心臓は人間の体に対する重要性は言うまでもない。又、心臓血管の疾病は近年来の主な死因となっている。そのため早期発見及と治療のために、そして健康状況の追跡検査においても、血圧測定、不整脈(心不整脈)等の生理情報を把握することは非常に重要である。
【考案の開示】
【考案が解決しようとする課題】
【０００３】
図１に示す通り、現在市販されている電子血圧計は血圧を表示するディプレイ画面がすべて固定式である。とりわけ使用者の手首に装着する手首式の血圧計がコンパクトで、携帯便利である。
使用するときに袖を巻くる必要がない等の長所を有することから、ますます多くの使用者に愛用されている。
【０００４】
しかしながら従来の電子血圧計にあっては、使用者が血圧測定をするときに、血圧計本体を手首の内側中央位置に装着しているため、血圧測定の完了後に、使用者が血圧測定値を確認するためには、手首の角度を外側に回さなければ、ディプレイ画面を使用者が見ることができない。
一方、医療者に血圧測定値を確認させるには、使用者の手首をさらに大きい角度で回さなければならなず、特に年配者等にとって不快感を与える。
【０００５】
本考案は測定完了後に使用者による血圧測定値を確認するための良好な角度が得難いといった従来の血圧計の欠点に鑑みて成されたものである。
本考案は血圧計や使用者の姿勢を移動することなく、ディプレイ画面の角度を回転操作して、使用者及び医療者による測定値の確認がし易いディスプレイ画面角度可調整血圧計を提供することを目的とする。
【課題を解決するための手段】
【０００６】
前記した課題を達成するため、本考案の主な手段として、血圧計に本体を設け、該台座に旋軸を設け、該台座の形状と釣り合う上部蓋を設ける。該上部蓋の内部に中空状の収容空間を設け、該収容空間に回転体を設ける。該回転体と台座と向かい合う面に旋稈を突き出して設け、該旋稈は旋軸に装入可能な大きさとする。該回転体はさらにディスプレイを設け、使用者の血圧計は該ディスプレイに表示される。この構成により、該ディスプレイは旋稈と旋軸の協働により、回転体に備えるディスプレイ画面を適切な角度に調整して、使用者と医療者の測定値確認に便利を提供する。
該回転体はさらに固定部材を設け、該固定部材の前面に第１固定点を設け、台座に該第１固定点と釣り合う複数の第２固定点を設ける。この構成により、該回転体を台座において自在に移動可能、不用意の移動や揺れがなく、確実に固定できる。
【０００７】
すなわち、本願の第１考案は、台座と上部蓋と回転体とよりなる本体を具備するディスプレイ画面角度可調整血圧計であって、前記台座の内部に旋軸を設け、前記内部に収容空間を有する上部蓋を台座の上部に設けて台座と一体に結合し、前記回転体に設けた旋稈を前記旋軸に挿入して前記回転体を上部蓋の収容空間に回転自在に設け、ディスプレイは回転体の内部に設けられて前記収容空間に収容され、ディスプレイの視認性を向上するように、旋軸と旋稈との組み合わせにより回転体を適切な位置に回転可能に構成したことを特徴とするディスプレイ画面角度可調整血圧計を提供する。
本願の第２考案は、腕帯に本体を固定し、腕帯を手首や腕部に引っ掛けて取り付け可能に構成したことを特徴とする前記第１考案に記載のディスプレイ画面角度可調整血圧計を提供する。
本願の第３考案は、旋稈の内部に突起棒を設け、該突起棒の周辺にスリーブを挿入し、該スリーブと該突起棒との間に一定の間隔をおくことを特徴とする前記第１考案に記載のディスプレイ画面角度可調整血圧計を提供する。
本願の第４考案は、回転体はさらにシャシーを有し、該旋稈は該シャシーの台座の向かい面に設けることを特徴とする前記第１考案に記載のディスプレイ画面角度可調整血圧計を提供する。
本願の第５考案は、シャシーに固定棒を設け、該固定棒は旋稈と同方向に延ばすことを特徴とする前記第４考案に記載のディスプレイ画面角度可調整血圧計を提供する。
本願の第６考案は、固定棒は旋稈より短く設けることを特徴とする前記第５考案に記載のディスプレイ画面角度可調整血圧計を提供する。
本願の第７考案は、シャシーは、さらに固定部材を設けることを特徴とする前記第４考案に記載のディスプレイ画面角度可調整血圧計を提供する。
本願の第８考案は、固定棒は弾性を有する片体を用いることを特徴とする前記第７考案に記載のディスプレイ画面角度可調整血圧計を提供する。
本願の第９考案は、固定部材の前面に第１固定点を突き出し設けることを特徴とする前記第７考案に記載のディスプレイ画面角度可調整血圧計を提供する。
本願の第１０考案は、台座の上に固定機構を設け、該固定機構に固定溝を設けることを特徴とする前記第９考案に記載のディスプレイ画面角度可調整血圧計を提供する。
本願の第１１考案は、固定機構は台座と一体化成形することを特徴とする前記第１０考案に記載のディスプレイ画面角度可調整血圧計を提供する。
本願の第１２考案は、固定機構は台座より独立した片体であることを特徴とする前記第１０考案に記載のディスプレイ画面角度可調整血圧計を提供する。
本願の第１３考案は、固定溝は円弧面を形成することを特徴とする前記第１０考案に記載のディスプレイ画面角度可調整血圧計を提供する。
本願の第１４考案は、固定溝は旋稈より固定棒の装入に備えることを特徴とする前記第１２考案に記載のディスプレイ画面角度可調整血圧計を提供する。
本願の第１５考案は、固定棒の回転範囲は固定溝の円弧面に限られることを特徴とする前記第１３考案に記載のディスプレイ画面角度可調整血圧計を提供する。
本願の第１６考案は、固定溝の周辺に複数の第２固定点を設けることを特徴とする前記第１０考案に記載のディスプレイ画面角度可調整血圧計を提供する。
本願の第１７考案は、第２個定点は第１固定点と釣り合い、かつ該第１固定点は第２個定点において移動することを特徴とする前記第１４考案に記載のディスプレイ画面角度可調整血圧計を提供する。
本願の第１８考案は、固定機構上に電気回路制御装置を設け、ディスプレイは電気回路及び固定機構を介して電気導通することを特徴とする前記第１２考案に記載のディスプレイ画面角度可調整血圧計を提供する。
本願の第１９考案は、電気回路には電気コード又はフラットケーブルを設けることを特徴とする前記第１８考案に記載のディスプレイ画面角度可調整血圧計を提供する。
本願の第２０考案は、台座の周辺に一つ以上のねじ孔を設け、該台座と組み合わせる上部蓋にねじ棒を設けて、ねじはねじ孔を通してねじ棒に締めつけて、台座と上部蓋を一体化に結合することを特徴とする前記第１考案に記載のディスプレイ画面角度可調整血圧計を提供する。
本願の第２１考案は、台座と上部蓋は矩形体を形成することを特徴とする請求項１記載のディスプレイ画面角度可調整血圧計を提供する。
【考案の効果】
【０００８】
本考案にあっては、血圧計や使用者の姿勢を移動することなく、ディプレイ画面の角度を回転操作できるので、使用者及び医療者による測定値の確認をする際に大変便利である
【考案を実施するための最良の形態】
【０００９】
以下に図面を参照しながらに本考案の最良の形態について説明する。
【実施例１】
【００１０】
図２に本考案に係るディスプレイ画面角度可調整血圧計の一例を示す。
本実施例においては腕帯式の血圧計に基づいて説明する。
該血圧計に腕帯１０を設ける。該腕帯１０の両端にベルクロ体１１を設ける。使用者はベルクロ体１１の粘着性により、該腕帯１０を使用者の手首に引っ掛けることが可能となる(図８)。
該腕帯１０の表面側にはさらに本体２０を設ける。該腕帯１０内部には空気袋３０を設けて、測定するときの空気の充填及び放出に備える。
【００１１】
図３に示す通り、該本体２０に台座２１を設ける。本実施例においては、矩形のケース体を用いる。
該台座２１の周辺に一つ又は以上のねじ孔２１１を設ける。該台座２１に旋軸２２を突き出して設け、該旋軸２２内部に突起棒２２１を設ける。該突起棒２２１の周囲に、突起棒２２１と一定距離を隔ててスリーブ２２２を形成する。
【００１２】
さらに、該台座２１上に台座２１の形状と対応した上部蓋２３を設ける。
本実施例においては、中空状のケース体を用いている。
該上部蓋２３の周辺にねじ孔２１１と向かい合うねじ棒２３１を設けて、ねじ２４をねじ棒２１１に通して、ねじ棒２３１に締め付けることにより、台座２１と上部蓋２３を一体に結合して本体１０を構成する。
【００１３】
図３、４に示す通り、上部蓋２３の内部に中空状の収容空間２３２を形成している。
本実施例においては、円形開口部を形成している。
収容空間２３２の内部に回転体４０を設ける。
回転体４０にシャシー４１を設ける。
シャシー４１には台座２１との対向面に突出した旋稈４１１及び固定棒４１２を設ける。
本実施例において、該旋稈４１１は中空状の管体として形成する。固定棒４１２は旋稈４１１より短く形成されている。
さらに、該台座２１とシャシー４１との間に固定機構２５を設ける。
本実施例においては、台座２１より独立した片体としてを設ける。
ただし、この種の技術を熟知する者は、固定機構２５を台座２１と一体化成形してもよい。
固定機構２５において、旋稈４１１と固定棒４１２との向かい合う場所には固定溝２５１を設ける。本実施例においては、円弧面を設けている。
固定溝２５１に備える円弧の中心部は旋稈４１１を通してスリーブ２２２と突起棒２２１との間に挿入して、回転可能である(図５)。
固定棒４１２は固定溝２５１の円弧面に挿入して、該円弧面範囲において移動可能である。
さらに、シャシー４１上に固定部材４２を取り付ける。本実施例においては、弾性を有するシート体を設ける。
固定部材４２の前部は第１固定点４２１を突出して設ける。第１固定点４２１及び固定機構２５の上には、これに合わせて複数の第２個定点２５２を設ける。第１固定点４２１を第２個定点２５２において移動させて、固定する働きをする(図７)。
【００１４】
引き続き図３、６、７に示す通り、シャシー４１上にシャシー４１の形状と対応したカバー体４３を設ける。該カバー体４３の所定位置に一つ以上の掛け金４３１を設ける。
さらに、シャシー４１の周辺には掛け金４３１と対応する位置に取付溝４１３を設ける。
この掛け金４３１は取付溝４１３に取り付けて、カバー体４３とシャシー４１を一体に固定する(図６)。
カバー体４３はさらに開口部４３２を設ける。該開口部４３２はディスプレイ５０を収容する。
該ディスプレイ５０はシャシー４１とカバー体４３との間に挟み込む(図４)。
該ディスプレイ５０は電気回路(図示しない)により、シャシー４１を介して、本体１０の内部の電気回路制御装置と電気的に導通する。本実施例においては、電気回路制御装置は固定機構と一体化したものを用いる。
【００１５】
使用にあたっては、図２、８に示す通り、腕帯１０を引っ掛けるように、本体１０を使用者の手首に取り付ける。
腕帯１０の空気袋３０を所定の圧力値に加圧した後、加圧を中止する。
血圧測定のとき、空気袋３０の空気を外部へ放出させる。
本体１０はゆるやかな空気放出の過程で高/低血圧のパルスを検出する。検出された高/低血圧パルスデータの処理を行った後、測定結果をディスプレイ５０に表示させる。
さらに、回転体４０は旋稈４１１と旋軸２２との組み合わせにより、本体１０において回転自在であるから、ディスプレイ５０を使用者の視認性の最も良い位置と角度に回すことで、使用者はディスプレイ５０の表示結果を正確に判読し易くなる(図８)。
一方、旋稈４２を回転するとき、固定棒４１２及び固定溝２５１の制限により、ディスプレイ５０が過大角度まで回転することがない。第１固定点４２１と第２個定点２５２の組み合わせにより、回転体４０が一定位置に回したとき、回転体４０に移動や揺れがなく、そのまま固定することができる。
【図面の簡単な説明】
【００１６】
【図１】従来技術の動作概略図である。
【図２】本考案の立体概略図である。
【図３】本考案本体の立体分解概略図である。
【図４】本考案もう一つの角度の局所の立体分解概略図である。
【図５】本考案の回転体と固定機構が結合されたときの概略図である。
【図６】本考案の第１固定点と第２個定点の作動概略図である。
【図７】本考案本体の組み合わせ断面図である。
【図８】本考案の使用態様概略図である。
【符号の説明】
【００１７】
１０        腕帯
１１        ベルクロ体
２０        本体
２１        台座
２１１      ねじ孔
２２        旋軸
２２１      突起棒
２２２      スリーブ
２３        上部蓋
２３１      ねじ棒
２３２      収容空間
２４        ねじ
２５        固定機構
２５１      固定溝
２５２      第２固定点
３０        空気袋
４０        回転体
４１        シャシー
４１１      旋稈
４１２      固定棒
４１３      取付溝
４２        固定部材
４２１      第１固定点
４３        カバー体
４３１      掛け金
４３２      開口部
５０        ディスプレイ
【図１】
0003139756.tif 000003
【図２】
0003139756.tif 000004
【図３】
0003139756.tif 000005
【図４】
0003139756.tif 000006
【図５】
0003139756.tif 000007
【図６】
0003139756.tif 000008
【図７】
0003139756.tif 000009
【図８】
0003139756.tif 000010